(57)【特許請求の範囲】
【請求項１】
画像データを記憶するサーバ装置にネットワークを介して接続する通信部と、
前記通信部を介して前記サーバ装置から受信した画像データを記憶する画像記憶部と、
ユーザの操作を受けて、前記画像記憶部に記憶された各画像データに対応づけられ、これを識別するための画像データ識別情報を表示する表示手段と、
前記画像記憶部に記憶された複数の画像データそれぞれにおける、著作権が設定されているか否かを示す著作権設定情報を参照し、当該著作権設定情報に著作権が設定されている画像データについて印刷可能でないと判定する判定手段と、
前記表示手段により前記複数の画像データの画像識別情報を一覧表示している状態で表示変更が要求された際、前記判定手段の判定結果に基づいて、各画像データが印刷可能か否かを前記ユーザが識別できるように、前記表示手段の一覧表示を制御する表示制御手段と、
を備えた携帯端末装置。
【請求項２】
画像データの信号出力を行う接続手段を更に備えた請求項１に記載の携帯端末装置。
【請求項３】
前記接続手段を介して接続される画像形成装置の対応可能な画像データの送受信方式を確認する確認手段を更に備え、
前記判定手段は、前記画像記憶部に記憶された各画像データが印刷可能か否かを、前記確認手段の確認結果に基づいてさらに判定する請求項２に記載の携帯端末装置。
【請求項４】
前記接続手段を介して接続される画像形成装置から、印刷可能な画像フォーマットの情報を受信する受信手段を更に備え、
前記判定手段は、前記画像記憶部に記憶された各画像データが印刷可能か否かを、前記画像フォーマット情報に基づいてさらに判定する請求項２に記載の携帯端末装置。
【請求項５】
前記ユーザにより印刷を希望する画像データが選択されて印刷指示を受けた時、選択された画像データのうち、前記判定手段によって印刷可能と判定された画像データを前記接続手段により信号出力する画像送信手段を更に備えた請求項２に記載の携帯端末装置。
【請求項６】
前記画像データ識別情報は各画像データに付与されたファイル名であり、前記画像記憶部は、各画像データと、対応する前記ファイル名とを関連付けて記憶する請求項１に記載の携帯端末装置。
【請求項７】
前記画像データ識別情報は、前記画像記憶部に記憶された画像データ自身である請求項１に記載の携帯端末装置。
【請求項８】
前記画像データ識別情報は、前記画像記憶部に記憶された画像データを縮小した縮小画像データであり、前記画像記憶部は、各画像データと、対応する前記縮小画像データとを関連付けて記憶する請求項１に記載の携帯端末装置。
【請求項９】
前記表示制御手段は、前記表示手段に前記画像データ識別情報を表示する際の背景色を、前記画像データが印刷可能な場合には第１の背景色、前記画像データが印刷可能でない場合には第２の背景色を用いる請求項１に記載の携帯端末装置。
【請求項１０】
前記表示制御手段は、前記表示手段に前記画像データ識別情報を一覧表示する際に、印刷可能でない画像データの前記画像データ識別情報は前記表示手段に表示しないことを特徴とする請求項１に記載の携帯端末装置。
【請求項１１】
前記表示制御手段は、前記表示手段に前記画像データ識別情報を一覧表示する際に、印刷可能な画像データの前記画像データ識別情報のみを前記表示手段に表示することを特徴とする請求項１に記載の携帯端末装置。
【請求項１２】
前記印刷可能な画像フォーマットは、ヘッダまたはフッタを含む所定のデータ形式であり、
前記判定手段は、前記画像データが前記所定のデータ形式に合致しない場合に、前記画像データを印刷可能でないと判定する請求項４に記載の携帯端末装置。
【請求項１３】
前記受信手段により前記画像フォーマット情報を受信した時、該画像フォーマット情報に含まれている前記所定のデータ形式の情報を内部の記憶領域に記録する手段を有する請求項１２に記載の携帯端末装置。
【請求項１４】
撮影を行う撮像部をさらに有し、
前記画像記憶部は、前記複数の画像データとして、前記サーバ装置から受信した画像データとともに、前記撮像部により撮影した画像データをさらに記憶する請求項１から１３のうちいずれか一項に記載の携帯端末装置。
【請求項１５】
画像データを印刷可能な画像形成装置と該画像形成装置と接続される携帯端末装置とを有する印刷システムにおいて、
前記携帯端末装置は、
前記画像形成装置と接続される接続手段と、
前記画像形成装置の対応可能な画像データの送受信方式を前記画像形成装置との間で確認する確認手段と、
前記画像形成装置から、印刷可能な画像フォーマットの情報を受信する受信手段と、
画像データを記憶するサーバ装置にネットワークを介して接続する通信部と、
前記通信部を介して前記サーバ装置から受信した画像データを記憶する画像記憶部と、
ユーザの操作を受けて、前記画像記憶部に記憶された各画像データを識別可能な画像データ識別情報を表示する表示手段と、
前記画像記憶部に記憶された複数の画像データそれぞれにおける、著作権が設定されているか否かを示す著作権設定情報を参照し、当該著作権設定情報に著作権が設定されている画像データについて印刷可能でないと判定する判定手段と、
前記表示手段により前記複数の画像データの画像識別情報を一覧表示している状態で表示変更が要求された際、前記判定手段の判定結果に基づいて、各画像データが印刷可能か否かを前記ユーザが識別できるように、前記表示手段の一覧表示を制御する表示制御手段と、
前記ユーザにより印刷を希望する画像データが選択されて印刷指示を受けた時、選択された画像データのうち、前記判定手段によって印刷可能と判定された画像データを前記画像形成装置に送信する画像送信手段と、
を備え、
前記画像形成装置は、
前記画像フォーマット情報を前記携帯端末装置に送信する能力情報送信手段と、
前記携帯端末装置から送信される画像データを受信する画像受信手段と、
前記画像受信手段が受信した前記画像データを印刷出力する出力手段と、
を備えた印刷システム。
【請求項１６】
画像データを記憶するサーバ装置にネットワークを介して接続し、
前記サーバ装置から受信した画像データを記憶し、
ユーザの操作を受けて、前記記憶された各画像データに対応づけられ、これを識別するための画像データ識別情報を表示し、
記憶された複数の画像データそれぞれにおける、著作権が設定されているか否かを示す著作権設定情報を参照し、当該著作権設定情報に著作権が設定されている画像データについて印刷可能でないと判定し、
前記複数の画像データの画像識別情報を一覧表示している状態で表示変更が要求された際、前記判定の結果に基づいて、各画像データが印刷可能か否かを前記ユーザが識別できるように、前記一覧表示の方法を制御する過程を具備する印刷方法。
【発明の詳細な説明】
【技術分野】
【０００１】
本発明は、主にプリンタにケーブルを介して直接接続し、画像データをプリンタに出力する携帯端末装置、及び印刷システム及び方法に関する。
本願は、２００４年８月２７日に出願された特願２００４−２４８０９６号に基づき優先権を主張し、その内容をここに援用する。
【背景技術】
【０００２】
従来の技術として、プリンタにケーブルを介して直接接続し、ユーザが指定した画像をプリンタに印刷させるデジタルカメラが一般的に知られている（例えば、特許文献１及び特許文献２参照）。また、近年、携帯電話機やＰＤＡ（Ｐｅｒｓｏｎａｌ  Ｄｉｇｉｔａｌ  Ａｓｓｉｓｔａｎｔ）などの携帯端末装置にもカメラが搭載されつつある。これらに搭載されているカメラは高画素化してデジタルカメラと同等の性能が得られるようになってきている。こうなると、デジタルカメラに特有の技術についても、携帯端末装置に搭載したいとの市場ニーズが生じてきており、その技術の中の１つに、前述の、プリンタにケーブルを介して直接接続し、画像を印刷する機能も含まれている。
【特許文献１】特開平１１−１５５１２０号公報
【特許文献２】特開２００１−２１８０９６号公報
【発明の開示】
【発明が解決しようとする課題】
【０００３】
しかしながら、携帯端末装置はデータ通信機能を備えており、インターネットなどのウェブページから得る画像や電子メール受信時の添付画像など、様々な形態の画像データを内部に記憶することになる。そのため、デジタルカメラのようにユーザが自ら撮影した画像を印刷するのみではなく、例えば、他者が作成してインターネット上で販売している待ち受け画像を携帯端末装置にダウンロードして印刷してしまう可能性がある。ところで、このような待ち受け画像には著作権が設定されている場合が多いため、無断で印刷できる状態を放置しておくことは画像データの著作権の保護の点で問題がある。また、逆にデジタルカメラやデジタルビデオカメラなどにも通信モジュールを設け、携帯電話機などと同等のデータ通信機能を有するものも登場しつつある。これらについても上記と同様の問題が生じる。【０００４】
本発明は、上記問題を解決すべくなされたもので、その目的は、著作権の設定などにより印刷が許可されていない画像データをユーザが識別することを可能とし、また印刷を制限することができる携帯端末装置、及び印刷システム及び方法を提供することにある。
【課題を解決するための手段】
【０００５】
上述した課題を解決するために、以下の手段を採用した。
本発明に係る携帯端末装置は、画像データを記憶するサーバ装置にネットワークを介して接続する通信部と、前記通信部を介して前記サーバ装置から受信した画像データを記憶する画像記憶部と、ユーザの操作を受けて、前記画像記憶部に記憶された各画像データに対応づけられ、これを識別するための画像データ識別情報を表示する表示手段と、前記画像記憶部に記憶された複数の画像データそれぞれにおける、著作権が設定されているか否かを示す著作権設定情報を参照し、当該著作権設定情報に著作権が設定されている画像データについて印刷可能でないと判定する判定手段と、前記表示手段により前記複数の画像データの画像識別情報を一覧表示している状態で表示変更が要求された際、前記判定手段の判定結果に基づいて、各画像データが印刷可能か否かを前記ユーザが識別できるように、前記表示手段の一覧表示を制御する表示制御手段と、を備える。
【０００６】
また、画像データの信号出力を行う接続手段を更に備える。
また、前記接続手段を介して接続される画像形成装置の対応可能な画像データの送受信方式を確認する確認手段を更に備え、前記判定手段は、前記画像記憶部に記憶された各画像データが印刷可能か否かを、前記確認手段の確認結果に基づいてさらに判定する。
また、前記接続手段を介して接続される画像形成装置から、印刷可能な画像フォーマットの情報を受信する受信手段を更に備え、前記判定手段は、前記画像記憶部に記憶された各画像データが印刷可能か否かを、前記画像フォーマット情報に基づいてさらに判定する。
また、前記ユーザにより印刷を希望する画像データが選択されて印刷指示を受けた時、選択された画像データのうち、前記判定手段によって印刷可能と判定された画像データを前記接続手段により信号出力する画像送信手段を更に備える。
【０００７】
また、前記画像データ識別情報は各画像データに付与されたファイル名であり、前記画像記憶部は、各画像データと、対応する前記ファイル名とを関連付けて記憶する。
また、前記画像データ識別情報は、前記画像記憶部に記憶された画像データ自身である。
また、前記画像データ識別情報は、前記画像記憶部に記憶された画像データを縮小した縮小画像データであり、前記画像記憶部は、各画像データと、対応する前記縮小画像データとを関連付けて記憶する。
【０００８】
また、前記表示制御手段は、前記表示手段に前記画像データ識別情報を表示する際の背景色を、前記画像データが印刷可能な場合には第１の背景色、前記画像データが印刷可能でない場合には第２の背景色を用いる。
また、前記表示制御手段は、前記表示手段に前記画像データ識別情報を一覧表示する際に、印刷可能でない画像データの前記画像データ識別情報は前記表示手段に表示しない。
また、前記表示制御手段は、前記表示手段に前記画像データ識別情報を一覧表示する際に、印刷可能な画像データの前記画像データ識別情報のみを前記表示手段に表示する。
【００１０】
また、前記印刷可能な画像フォーマットは、ヘッダまたはフッタを含む所定のデータ形式であり、前記判定手段は、前記画像データが前記所定のデータ形式に合致しない場合に、前記画像データを印刷可能でないと判定する。
また、前記受信手段により前記画像フォーマット情報を受信した時、該画像フォーマット情報に含まれている前記所定のデータ形式の情報を内部の記憶領域に記録する手段を有する。
【００１１】
また、撮影を行う撮像部をさらに有し、前記画像記憶部は、前記複数の画像データとして、前記サーバ装置から受信した画像データとともに、前記撮像部により撮影した画像データをさらに記憶する。
【００１２】
本発明に係る印刷システムは、画像データを印刷可能な画像形成装置と該画像形成装置と接続される携帯端末装置とを有する印刷システムにおいて、前記携帯端末装置は、前記画像形成装置と接続される接続手段と、前記画像形成装置の対応可能な画像データの送受信方式を前記画像形成装置との間で確認する確認手段と、前記画像形成装置から、印刷可能な画像フォーマットの情報を受信する受信手段と、画像データを記憶するサーバ装置にネットワークを介して接続する通信部と、前記通信部を介して前記サーバ装置から受信した画像データを記憶する画像記憶部と、ユーザの操作を受けて、前記画像記憶部に記憶された各画像データを識別可能な画像データ識別情報を表示する表示手段と、前記画像記憶部に記憶された複数の画像データそれぞれにおける、著作権が設定されているか否かを示す著作権設定情報を参照し、当該著作権設定情報に著作権が設定されている画像データについて印刷可能でないと判定する判定手段と、前記表示手段により前記複数の画像データの画像識別情報を一覧表示している状態で表示変更が要求された際、前記判定手段の判定結果に基づいて、各画像データが印刷可能か否かを前記ユーザが識別できるように、前記表示手段の一覧表示を制御する表示制御手段と、前記ユーザにより印刷を希望する画像データが選択されて印刷指示を受けた時、選択された画像データのうち、前記判定手段によって印刷可能と判定された画像データを前記画像形成装置に送信する画像送信手段と、を備え、前記画像形成装置は、前記画像フォーマット情報を前記携帯端末装置に送信する能力情報送信手段と、前記携帯端末装置から送信される画像データを受信する画像受信手段と、前記画像受信手段が受信した前記画像データを印刷出力する出力手段と、を備える。
【００１３】
本発明に係る印刷方法は、画像データを記憶するサーバ装置にネットワークを介して接続し、前記サーバ装置から受信した画像データを記憶し、ユーザの操作を受けて、前記記憶された各画像データに対応づけられ、これを識別するための画像データ識別情報を表示し、記憶された複数の画像データそれぞれにおける、著作権が設定されているか否かを示す著作権設定情報を参照し、当該著作権設定情報に著作権が設定されている画像データについて印刷可能でないと判定し、前記複数の画像データの画像識別情報を一覧表示している状態で表示変更が要求された際、前記判定の結果に基づいて、各画像データが印刷可能か否かを前記ユーザが識別できるように、前記一覧表示の方法を制御する過程を具備する。
【発明の効果】
【００１４】
この発明によれば、著作権の設定などにより印刷が許可されていない画像データをユーザが識別することを可能とし、また印刷を制限することができる、携帯端末装置、及び印刷システム及び方法を得ることができる。
【図面の簡単な説明】
【００１５】
【図１】本発明の一実施形態による携帯端末装置及び印刷システムの構成を示すブロック図である。
【図２】同実施形態における、画像データのデータ構成を示した図である。
【図３】同実施形態における、印刷処理を示したフローチャートの前半である。
【図４】同実施形態における、印刷処理を示したフローチャートの後半である。
【図５】同実施形態における、画像データの判定処理を示したフローチャートである。
【図６Ａ】同実施形態における、背景色の変更設定を行う場合の画面例である。
【図６Ｂ】同様に、背景色の変更設定を行う場合の画面例である。
【図６Ｃ】同様に、背景色の変更設定を行う場合の画面例である。
【図６Ｄ】同様に、背景色の変更設定を行う場合の画面例である。
【図６Ｅ】同様に、背景色の変更設定を行う場合の画面例である。
【図７Ａ】同実施形態における、縮小画像データを表示した場合の画面例を示した図である。
【図７Ｂ】同実施形態における、画像データを表示した場合の画面例を示した図である。
【図８Ａ】同実施形態における、印刷対象を判定前に予め決めた場合の画面例を示した図である。
【図８Ｂ】同様に、印刷対象を判定前に予め決めた場合の画面例を示した図である。
【図９Ａ】同実施形態における、画像データの詳細情報を表示する場合の画面例を示した図である。
【図９Ｂ】同様に、画像データの詳細情報を表示する場合の画面例を示した図である。
【図９Ｃ】同様に、画像データの詳細情報を表示する場合の画面例を示した図である。
【符号の説明】
【００１６】
１０  携帯端末装置、１１  表示部、１２  操作部、１３  制御部
１３ａ  表示制御手段、１３ｂ  判定手段、  １３ｃ  画像送信手段
１４  通信部、１５  撮像部、１６  接続部、１７  画像記憶部
２０  印刷装置、２１  出力部、２２  制御部、２３  接続部
２２ａ  可動確認認証手段、２２ｂ  能力情報送信手段
２２ｃ  画像受信手段
【発明を実施するための最良の形態】
【００１７】
以下、本発明の一実施形態による携帯端末装置及び印刷システムを図面を参照して説明する。
図１は、本実施形態による携帯端末装置１０と印刷装置２０によって構成される印刷システム１を示す概略ブロック図である。同図において、印刷装置２０は、上述した画像形成装置に該当し、例えば、デジタルカメラ等とＵＳＢ（Ｕｎｉｖｅｒｓａｌ  Ｓｅｒｉａｌ  Ｂｕｓ）ケーブルで直接接続し、パソコンを介さずに、デジタルカメラ等から直接画像データを受信して印刷することができるダイレクト印刷機能を有するプリンタである。
印刷装置２０において、接続部２３は、上記したＵＳＢなどの接続インタフェースであり、後述する携帯端末装置１０に直接接続する。制御部２２は、印刷装置２０における画像データの印刷処理を制御し、可動確認認証手段２２ａと能力情報送信手段２２ｂと画像受信手段２２ｃを備えている。【００１８】
制御部２２において、可動確認認証手段２２ａは、印刷装置２０と携帯端末装置１０とが接続されたことを接続部２３を介して検出した時、携帯端末装置１０が印刷装置２０が備えている画像データの送受信方式に合致する装置であるか否かを判定し、合致する装置の場合には携帯端末装置１０を認証する。能力情報送信手段２２ｂは、可動確認認証手段２２ａによって携帯端末装置１０が認証されたとき、印刷装置２０が印刷可能な画像データのフォーマットなどの情報を接続された携帯端末装置１０に送信する。画像受信手段２２ｃは、接続部２３を介して携帯端末装置１０に画像データを要求して画像データを受信する。
印刷装置２０において、出力部２１は、画像受信手段２３ｃが受信した画像データを紙などに印刷する。【００１９】
また、同図において、携帯端末装置１０は、例えば携帯電話端末であり、内蔵されたカメラによって画像の撮影が可能であり、また、インターネット等に接続して通信を行う機能を備えている。携帯端末装置１０において、接続部１６は、例えばＵＳＢインタフェースであり、印刷装置２０と直接接続する。撮像部１５は、例えば携帯端末装置１０に内蔵されたＣＣＤ（Ｃｈａｒｇｅ  Ｃｏｕｐｌｅｄ  Ｄｅｖｉｃｅ）カメラであり、ユーザの操作に基づいて画像を撮像する。通信部１４は、インターネット３０に無線で接続し、ユーザの指示に基づいてインターネット３０に接続しているサーバから画像データをダウンロードし、また、画像データが添付された電子メールを受信する。【００２０】
画像記憶部１７は、撮像部１５が撮像した画像データや通信部１４が受信した画像データにユーザの操作を受けて付与したファイル名もしくは制御部１３が任意に付与したファイル名を対応付けて記憶する。表示部１１は、例えば液晶画面に該当し、ユーザの操作に基づいて画像記憶部１７が記憶している画像データに対応付けられたファイル名を読み出して表示する。また、撮像部１５が画像を撮像する際に表示部１１に被写体を映し出す時などに利用される。操作部１２は、例えばキーボードであり、ユーザの操作を受付ける。【００２１】
制御部１３は、撮像部１５によって撮像された画像データや通信部１４を介して受信した画像データを画像記憶部１７に記録するなどの機能を備えている他に、表示制御手段１３ａ、判定手段１３ｂ、画像送信手段１３ｃを備えている。制御部１３において、判定手段１３ｂは、ユーザが操作部１２を介して、画像記憶部１７から画像データあるいはファイル名を読み出して表示する指示を行ったときに、当該画像データに設定されている著作権情報等を参照して、印刷可能な画像データであるか否かを判定する。【００２２】
表示制御手段１３ａは、判定手段１３ｂによって印刷可能と判定された画像データと印刷可能でないと判定された画像データをユーザが識別できるように表示部１１に画像データのファイル名を表示する。画像送信部１３ｃは、ユーザの印刷実行指示を受けた時、判定手段１３ｂによって印刷可能と判定された画像データのみを接続部１６を介して印刷装置２０に送信する。【００２３】
なお、携帯端末装置１０と印刷装置２０はＵＳＢケーブルのように物理的に直接接続される以外に、Ｂｌｕｅｔｏｏｔｈと呼ばれる規格に基づく無線通信手段や、ＩｒＤＡと呼ばれる規格に基づく赤外線通信手段で接続される構成であってもよい。
また、画像データの信号出力としては、ＵＳＢなどの接続インタフェースのみでなく、メモリーカードを利用しても良い。ＤＰＯＦ（Ｄｉｇｉｔａｌ  Ｐｒｉｎｔ  Ｏｒｄｅｒ  Ｆｏｒｍａｔ）を用いた印刷予約機能として、複数の印刷を希望する画像を選択し、これらの印刷画像サイズや印刷枚数を指定した上で、印刷予約フラグを付してメモリーカードに格納することができる機能がある。この印刷予約されたメモリーカードをプリンタに装着すると、プリンタでは印刷予約フラグを検出し、指定された画像を指定枚数、指定サイズで自動的に印刷することが可能である。今回の発明は、この印刷予約機能にも適用可能であり、このメモリーカードに印刷予約すべき画像データを選択する画面の表示時に適用できる。すなわち、印刷可能な画像データの識別情報のみを表示させたり、背景色を変えるなどの処理を行うことにより、同様の効果を得ることができる。
また、表示部１１に表示させるのはファイル名に限られず、画像データ自体や後述する画像データのサムネイルであってもよい。【００２４】
図２は、印刷装置２０が印刷を行う画像データ１００のフォーマットのデータ構成を示した図である。本フォーマットに該当するフォーマットとしては例えば、拡張されたＪＰＥＧ画像フォーマットに該当するＥｘｉｆフォーマット（Ｅｘｃｈａｎｇｅ  ｉｍａｇｅ  ｆｉｌｅ  ｆｏｒｍａｔ）（登録商標）がある（以下、本フォーマットを拡張ＪＰＥＧフォーマットと呼ぶ）。【００２５】
同図において、画像データ１００は、ヘッダ１０１と主画像データ１２０から構成されている。ヘッダ１０１には主画像データ１２０が撮像された際の情報である画素数１０２、撮影日時１０４、機種名１０５、絞り値１０６が存在し、また、主画像データ１２０を正しく読み取るための情報である圧縮モード１０３、色空間１０７等の情報が存在する。
これらの情報は、ユーザが携帯端末装置１０で撮影した時に、携帯端末装置１０によって書込まれる。また、有料コンテンツの制作者などによって画像データ１００が生成される場合には、画像を生成するソフトウェアによってこれらの情報が書込まれる。【００２６】
ヘッダ１０１には更に、著作権設定領域１０８と自由領域１０９が存在する。著作権設定領域１０８は、有料コンテンツの制作者などが作成する画像データの場合に、当該制作者が著作権を放棄していない、即ち印刷を許可しないことを示す情報が設定され、有料コンテンツ制作者の操作に基づいてソフトウェアが設定する。自由領域１０９は、将来の利用のために予約されている領域である。【００２７】
サムネイル１１０は、主画像データ１２０を縮小した画像データであり、サイズが予め定められていることから、ソフトウェアなどによって画面に一覧表示する場合に高速に表示を行うことができる。主画像データ１２０には、画像データの本体が存在し、本実施形態の印刷装置２０が印刷可能なＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）フォーマット（一般のＪＰＥＧを拡張したもの）の画像データが格納されている。
なお、この拡張ＪＰＥＧフォーマットを有する画像データ１００のファイル名は、「ＸＸＸＸＸ．ＪＰＧ」と、通常のＪＰＥＧファイルと同じ拡張子である「ＪＰＧ」が利用されているので、本拡張フォーマットの画像データか一般的なＪＰＥＧかを識別するためにはヘッダ１０１の存在を確認することが必要となる。【００２８】
また、著作件設定領域１０８は、著作権情報の設定を行わない場合には領域自体が存在しないようにしてもよい。この時、著作権情報が存在しないためユーザが自由に印刷できるようにしてもよい。【００２９】
また、著作権の有無を示す情報は、著作権設定領域１０８を利用せず、自由領域１０９の特定の領域を利用して設定するようにしてもよい。なぜなら、著作権設定領域１０８は、多くのプリンタのベンダーやデジタルカメラのベンダー間で共有して利用される領域であり、個別利用が制限されるからである。
例えば、ある携帯端末装置１０の開発企業が、特定の有料コンテンツ制作者に携帯端末装置１０専用の待ち受け画面の画像データの制作を依頼した場合には、当該待ち受け画面の画像データは他のベンダーが開発した携帯端末装置で表示できない場合もあり、著作権設定領域１０８の利用が許可されない可能性もある。そのとき、自由領域１０９の特定の領域を利用して携帯端末装置１０の開発会社と当該有料コンテンツ制作者が予め決めた著作権の情報を設定することで、携帯端末装置１０によって著作権の有無の判定が可能となる。【００３０】
図３及び図４は、携帯端末装置１０と印刷装置２０の間で実行される画像データの印刷処理を示したフローチャートである。同図において、ステップＳ１の破線で囲まれた処理は、ユーザによって行われることを示し、それ以外の実線で囲まれた処理は携帯端末装置１０もしくは印刷装置２０によって実行される処理である。【００３１】
まず最初に、ユーザによって携帯端末装置１０と印刷装置２０がケーブルを介して接続される（ステップＳ１）。ケーブルが接続されると携帯端末装置１０の接続部１６と印刷装置２０の接続部２３を介して両装置の接続が検出される。そして、携帯端末装置１０の制御部１３は、可動確認認証を受けるため、携帯端末装置１０に予め設定されている、デバイスのクラス等の情報を含んだ可動確認認証要求を印刷装置２０に送信する（ステップＳ２）。
可動確認認証要求を受信した印刷装置２０の可動確認認証手段２２ａは、可動確認認証要求に含まれている情報に基づいて、携帯端末装置１０が印刷装置２０が備えている画像データの送受信の方式に合致する装置であるか否かを判定する。判定によって合致する装置であると判定されたとき携帯端末装置１０を認証し、認証応答を送信する（ステップＳ３）。【００３２】
印刷装置２０は、携帯端末装置１０が認証されたとき、印刷装置２０が可能な画像データのフォーマット、例えば、ファイルの拡張子情報や上述した拡張ＪＰＥＧフォーマットなどの情報などを含む能力情報を携帯端末装置１０に送信する（ステップＳ４）。携帯端末装置１０は内部に受信した能力情報を設定する（ステップＳ５）。【００３３】
次に、携帯端末装置１０はユーザの指示を受けて画像記憶部１７から印刷対象となる画像データのファイル名を読み出し、表示部１１にファイル名を一覧表示する（ステップＳ６）。ユーザは印刷対象の画像データのファイル名を選択する。このとき複数選択することが可能である。そして、ユーザの印刷開始指示を受付ける（ステップＳ７）。
印刷開始指示を受付けた画像送信手段１３ｃは、選択されたファイル名に対応する画像データごとに、検索キーとして一意に識別可能なＩＤ番号を付与する（ステップＳ８）。そして、印刷する画像データの情報を印刷装置に送信するためのＩＤリストをＸＭＬ（ｅＸｔｅｎｓｉｂｌｅ  Ｍａｒｋｕｐ  Ｌａｎｇｕａｇｅ）形式で作成する（ステップＳ９）。【００３４】
次に図４に示すように、携帯端末装置１０は、作成したＸＭＬ形式の印刷リストを印刷装置２０に送信する（ステップＳ１０）。ＸＭＬ形式の印刷リストを受信した印刷装置２０は、印刷リストに含まれているＩＤを１つ読み出し携帯端末装置１０に送信する（ステップＳ１１）。ＩＤを受信した携帯端末装置１０の画像送信手段１３ｃは画像記憶部１７から画像データを読み出して印刷装置２０に送信する（ステップＳ１２）。印刷装置２０の出力部２１は、受信した画像を印刷する（ステップＳ１３）。印刷が終了すると印刷装置２０は、印刷リストに読み出していないＩＤが存在するか否かを判定し、読み出していないＩＤが存在する場合にはステップＳ１１からＳ１４の処理を継続する（ステップＳ１４）。読み出していないＩＤがなくなった場合には印刷完了を携帯端末装置１０に送信する（ステップＳ１５）。【００３５】
印刷完了を受信した携帯端末装置１０についてはケーブルを抜いて印刷を終了してもよく、また、ユーザが再度印刷開始指示を行うことで続けて印刷を行うことも可能である。【００３６】
なお、ステップＳ６からステップＳ９の処理は、ケーブルを接続する前に携帯端末装置１０単体で行うことも可能であり、その場合には、ステップＳ６からステップＳ９までの処理がステップＳ１からステップＳ５の前段に行われることになる。【００３７】
また、ファイル名を読み出して一覧表示するのではなく、表示部１１に画像データを表示しているときに、サブメニューから印刷実行を選択して画像データを１つずつ印刷するようにすることも可能であり、このときにはＸＭＬ形式の印刷リストには１つのＩＤだけが登録されることになる。【００３８】
また、サムネイル１１０を一覧表示するようにしてもよく、その場合には、ユーザはファイル名の変わりにサムネイルを選択して印刷を行うことになる。【００３９】
図５は、携帯端末装置１０の判定手段１３ｂ及び表示制御手段１３ａによる画像データの判定及び表示処理を示したフローチャートである。本フローチャートの処理は、上述した印刷処理において、ステップＳ６の段階で行われる処理である。
まず最初に、ユーザの指示を受けて、制御部１３が画像記憶部１７からの画像データのファイル名の一覧表示処理を実行する（ステップＳａ１）。制御部１３は、読み出したファイル名を表示部１１に一覧表示する（ステップＳａ２）。次に、ユーザは操作部１２においてサブメニューを選択し、表示変更を選択する（ステップＳａ３）。【００４０】
表示変更指示を受付けた判定手段１３ａは、一覧表示されているファイル名に対応する画像データが印刷可能な画像データか否かを判定する。
例えば、携帯端末装置１０内に、印刷装置２０から受信した能力情報に基づいて、ＪＰＥＧファイルの拡張子である「ＪＰＧ」と、ＧＩＦ（Ｇｒａｐｈｉｃｓ  Ｉｎｔｅｒｃｈａｎｇｅ  ｆｏｒｍａｔ）ファイルの拡張子である「ＧＩＦ」が適応可能な拡張子として設定されている場合には、拡張子が「ＪＰＧ」または「ＧＩＦ」となっている場合には印刷可能であると判定する。「ＪＰＧ」と「ＧＩＦ」以外の拡張子である場合には処理を終了する（ステップＳａ４）。
次に、印刷装置２０から受信した能力情報に含まれている情報に基づいて、印刷可能な画像データか否かを判定する。例えば、能力情報に「ＪＰＧ」の拡張子と、拡張ＪＰＥＧフォーマットの情報が含まれている場合には、拡張ＪＰＥＧフォーマットか否かで判定を行う。そして、拡張ＪＰＥＧフォーマットでないと判定されたときは処理を終了する（ステップＳａ５）。【００４１】
次に、拡張ＪＰＥＧフォーマットの画像データであると判定されたときに、ヘッダ１０１に著作権設定領域１０８が存在するか否かを判定する。著作権設定領域１０８が存在しない場合には、自由に印刷できると判断し、印刷可能な画像データとして次の処理に進む（ステップＳａ６）。著作権設定領域が存在する場合には、次に、「著作権有り」と設定されているか「著作権無し」と設定されているか否かを判定する。
具体的には著作権設定領域１０８において、著作権有りの場合には「ＫＥＮＮＲＩ０１」との文字列が記載されて設定されており、著作権無しの場合には「ＫＥＮＮＲＩ００」と設定されている。このような文字列を検出でき、この内容が「著作権有り」と設定されている場合には印刷できないため処理を終了する（ステップＳａ７）。次に、著作権が無い印刷可能な画像データ及び著作権設定領域１０８が存在しない画像データを印刷可能な画像データとして登録する（ステップＳａ８）。そして、表示制御手段１３ａは、印刷可能なファイルについて背景色を変更して表示部１１に表示する（ステップＳａ９）。
本処理後、ユーザは背景色が変わった画像データについてのみ印刷対象ファイルとして選択することができる。また、前述のように、著作権設定領域１０８を含まず自由領域１０９に前述の文字列を記載するようにとり決めても良い。【００４２】
なお、ステップＳａ１において画像データのファイル名を一覧表示する際に、ユーザが入力した検索文字列に該当するファイル名のみを検索して表示するようにしてもよい。
また、上述したフローチャートではファイル名を一覧表示することとしていたがサムネイルを一覧で表示するようにしてもよい。【００４３】
図６Ａ〜６Ｅは、上述した印刷可能か否かを判定する処理の過程における携帯端末装置１０の画面遷移を示した図である。
図６Ａは、ユーザが一覧表示を起動した時の画面であり、画像記憶部１７に記憶されている画像データのファイル名が一覧表示されている。
図６Ｂは、ユーザがファイル名の一覧表示を行った後にサブメニューを選択した場合の画面の表示を示した図である。
図６Ｂにおいて、ユーザが「印刷設定」のメニューを選択すると図６Ｃに示す画面表示に遷移する。図６Ｃにおいて、ユーザが「印刷対象背景選択」を選択すると、次に図６Ｄの画面表示に遷移する。
図６Ｄにおいて、「印刷対象の背景色を変更」を選択すると上述した印刷可能か否かの判定処理が行われ、画面表示は図６Ｅに示す状態に遷移し、印刷可能なものについてのみ背景色を変更して表示する。【００４４】
図７Ａは、印刷対象として画像データのファイル名を表示するのではなくサムネイルを表示した場合の画面を示した図であり、サムネイルを一覧表示する場合には、印刷可能なファイルについて背景色を変更して表示することになる。具体的には、印刷対象となる画像データ２００に縁取りのように背景色の領域２０１を表示する。
なお、サムネイルは縮小された画像データであることから、印刷可能なものについてはそのまま表示し、印刷できないものについてはグレースケールなどで表示するようにしてもよい。また、サムネイルで表示する場合には、印刷可能でない画像データのサムネイルについては画面に表示しないようにしてもよい。【００４５】
図７Ｂは、印刷対象として画像データ自体を表示した場合の画面を示した図であり、画像データを表示する場合には、画面に「著作権有」などの印刷可否の文字情報２０２を表示するようにしてもよい。また、上述したサムネイルの場合のように印刷が可能な画像データについてはそのまま表示し、印刷が可能でない画像データについてはグレースケールで表示するようにしてもよい。また、印刷が可能でない画像データについては画面に表示させないようにしてもよい。また、印刷が可能な画像データは背景色を変えて表示するようにしてもよい。【００４６】
なお、図７Ａ及び７Ｂは、印刷対象となる画像データをユーザが識別できるように設定した後の状態を示した図であり、著作権情報が設定されている画像データであっても画面で参照することは可能である。
また、予めユーザが識別できるように背景色を変えるなどの設定を行っている場合には、初めに一覧表示を行った段階で、背景色を変更して表示するようにしてもよい。【００４７】
図８Ａ、８Ｂは、印刷可能な画像データか否かをユーザが識別せずに選択して印刷する場合の画面遷移を示した図である。
図８Ａは、画像記憶部１７に記憶されている画像データのファイル名を一覧表示した画面表示を示しており、それぞれのファイル名にはチェックボックスが設定されており、ユーザは印刷したい画像データのチェックボックスにチェックを設定する。そして、印刷を実行すると、チェックボックスが選択された画像データについて上述した判定処理が行われた結果、印刷可能な画像データについてはＩＤが付与されて印刷装置２０に送信され、印刷できなかった画像データについては図８Ｂに示すように処理結果として画面に表示する。【００４８】
図９Ａ〜９Ｃは、ユーザが画像データを印刷するか否かに関わらず、携帯端末装置１０の画像記憶部１７に記憶されている画像データに著作権情報が設定されているか否かを確認する際の画面表示を示した図である。
図９Ａにおいて、一覧表示されたファイル名から確認を行いたいファイル名を選択する。ここでは「ＴＥＳＴ０１．ＪＰＧ」が選択されている。そしてサブメニューを選択すると図９Ｂに示すメニューが表示される。このメニューの中から「詳細情報」を選択すると、図９Ｃに示す画像データの情報が表示され、可否理由３００の欄に「著作権付きデータ」であることが表示され、「ＴＥＳＴ０１．ＪＰＧ」は印刷できないことをユーザは認識することが可能となる。【００４９】
なお、上述した実施形態においては、ヘッダ１０１を含んで構成される画像データ１００としていたが、ヘッダ１０１の構成がフッタとして含まれる画像データであってもよい。【００５０】
以上説明したように、本実施形態における携帯端末装置においては、画像データを印刷可能な画像形成装置が備えている画像データの送受信方式に合致する装置であるかを確認し、画像形成装置から、印刷可能な画像フォーマットの情報を受信する。また、各画像データを記憶する画像記憶部と、ユーザの操作を受けて、画像記憶部に記憶された各画像データを識別可能な画像データ識別情報を画面に表示する表示手段とを有する。そして、画像記憶部に記憶された各画像データが印刷可能か否かを、上記画像データの送受信方式に関する確認結果、上記画像フォーマット情報、及び当該画像データのうち少なくとも１つに基づいて判定する。そして、判定結果に基づいて、表示手段に表示される各画像データが印刷可能か否かをユーザが識別できるように、表示手段の表示が制御される。そして、ユーザにより印刷を希望する画像データが選択されて印刷指示が出された時、選択された画像データのうち、印刷可能と判定された画像データが画像形成装置に送信される。
そのため、ユーザは、印刷可能な画像データの画像データ識別情報を表示画面で確認することができ、また、印刷可能な画像データのみを画像形成装置に送信することが可能となる。それによって、例えば、著作権情報が設定された画像データについては、ユーザに印刷できない画像データであることを認識させ、また、画像形成装置に印刷できない画像データを送信しないようにすることができる。【００５１】
また、画像データが印刷可能な場合には第１の背景色を用いて画像データ識別情報を画面表示し、画像データが印刷可能でない場合には第２の背景色を用いて画像データ識別情報を画面表示することができるので、ユーザは、背景色の違いから印刷可能な画像データと印刷可能でない画像データを識別することが可能となる。【００５２】
また、画像データが印刷可能でない場合には画像データ識別情報を画面表示せず、画像データが印刷可能な場合には画像データ識別情報を画面表示することができるので、ユーザは印刷可能でない画像データを意識せずに、印刷対象となる画像データを選択することが可能となる。【００５３】
さらに、また、画像記憶部に記録された各画像データは、該画像データの形式を示す拡張子を含むファイル名が付与されており、該拡張子が、画像形成装置から受信した画像フォーマット情報に適合する拡張子である場合に、画像データが印刷可能であると判定することが可能である。そのため、拡張子によって、予め画像形成装置が印刷できない画像データを識別することができ、ユーザに印刷できない画像データであることを示すと共に画像形成装置に送信しないようにすることが可能となる。【００５４】
さらに、また、印刷可能な画像フォーマットは、ヘッダまたはフッタを含む所定のデータ形式を有し、画像データが該所定のデータ形式に合致しない場合に、画像データを印刷可能でないと判定するようにできる。そのため、データ形式によって予め画像形成装置が印刷できない画像データを識別することができ、ユーザに印刷できない画像データであることを示すと共に画像形成装置に送信しないようにすることが可能となる。
ここで、上記所定のデータ形式のヘッダまたはフッタに所定の印刷許可判別情報が存在しない場合には、前記画像データを印刷可能と判定することができる。そのため、例えば、所定の印刷許可情報が著作権設定情報である場合には、そもそも著作権情報がない画像データについてはユーザに印刷可能な画像データであることを示すと共に画像形成装置に送信して印刷することが可能となる。
また、所定のデータ形式の前記ヘッダまたはフッタに所定の印刷許可判別情報が存在する場合には、印刷許可判別情報が印刷許可を示す情報を含む場合には印刷可能と判定し、印刷許可判別情報が印刷不許可を示す情報を含む場合には印刷可能でないと判定することができる。そのため、例えば、所定の印刷許可情報が著作権設定情報であって、印刷許可を示す情報が著作権の設定が無いことを示し、印刷不許可を示す情報が著作権の設定が有ることを示す場合には、著作権情報を判定してユーザに画像データの印刷可否を示すことが可能となる。また、著作権設定有りの画像データの場合には、画像形成装置に送信しないようにすることも可能となる。【００５５】
さらに、画像形成装置から画像フォーマット情報を受信した時、該画像フォーマット情報に含まれている所定の拡張子や所定のデータ形式の情報を内部の記憶領域に記録することができる。そのため、例えば、画像形成装置の機種によって印刷可能な画像データが変わる場合に、ユーザが、変更された所定の拡張子または所定のデータ形式の情報を携帯端末装置に登録する操作をしなくても、画像形成装置から受信した情報に基づいて判定処理を行うことが可能となる。【００５６】
また、画像データを内部に記憶するサーバ装置が接続されたネットワークに接続し、前記ユーザの指示を受け、前記サーバ装置から画像データを受信し、画像記憶部に記録することも可能である。そのため、サーバ装置から受信した画像データについても、カメラ等によって撮影した画像データと同じく上述した判定処理を行うことができ、有料コンテンツ等の著作権が解放されていない画像データの印刷を防ぐことが可能となる。【００５７】
上述の携帯端末装置は内部に、コンピュータシステムを有している。そして、上述した画像データの判定及び表示処理の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【産業上の利用可能性】
【００５８】
著作権の設定などにより印刷が許可されていない画像データをユーザが識別することを可能とし、また印刷を制限することができる。
【図１】
0004680197.tif 000002
【図２】
0004680197.tif 000003
【図３】
0004680197.tif 000004
【図４】
0004680197.tif 000005
【図５】
0004680197.tif 000006
【図６Ａ】
0004680197.tif 000007
【図６Ｂ】
0004680197.tif 000008
【図６Ｃ】
0004680197.tif 000009
【図６Ｄ】
0004680197.tif 000010
【図６Ｅ】
0004680197.tif 000011
【図７Ａ】
0004680197.tif 000012
【図７Ｂ】
0004680197.tif 000013
【図８Ａ】
0004680197.tif 000014
【図８Ｂ】
0004680197.tif 000015
【図９Ａ】
0004680197.tif 000016
【図９Ｂ】
0004680197.tif 000017
【図９Ｃ】
0004680197.tif 000018